(57)【要約】  ＩＯＴ(Ｉｎｔｅｒｎｅｔ  ｏｆ  Ｔｈｉｎｇｓ)技術を用いて４世代(４Ｇ)システムより高いデータ速度をサポートする５世代(５Ｇ)通信システムを融合する通信方法及びシステムが提供すること。本開示はスマートホーム、スマートビルディング、スマートシティ、スマートカー、コネクテッドカー、ヘルスケア、デジタル教育、スマート小売、保安及び安全サービスのような５Ｇ通信技術及びＩｏＴ関連技術に基づいた知能型サービスに適用されることができる。通信方法は基地局からＰＲＡＣＨ設定区間に対する第１情報を含むメッセージを受信する段階と、ＰＲＡＣＨ設定区間に相応する関連区間セットを識別する段階と、関連区間セットから関連区間を識別する段階と、及び関連区間内でランダムアクセスオケーションにおけるランダムアクセスプリアンブルを基地局へ送信する段階と、を含む。
2021517752.tif 000002
【特許請求の範囲】
【請求項１】
無線通信システムにおいて端末による方法であって、
基地局からＰＲＡＣＨ(ｐｈｙｓｉｃａｌ  ｒａｎｄｏｍ  ａｃｃｅｓｓ  ｃｈａｎｎｅｌ)設定区間に関する第１情報を受信する段階と、
前記基地局からＳＳＢｓ(ｓｙｎｃｈｒｏｎｉｚａｔｉｏｎ  ｓｉｇｎａｌ  ｂｌｏｃｋｓ)の個数に関する第２情報を受信する段階と、
前記第１情報及び前記第２情報に基づいて関連区間を識別する段階と、及び
前記基地局へ、前記関連区間内のランダムアクセスオケーションでランダムアクセスプリアンブルを送信する段階と、を含み、
前記関連区間は、前記ＰＲＡＣＨ設定区間に相応する関連区間セットのうちで、前記ＳＳＢｓが前記関連区間内の前記ランダムアクセスオケーションに少なくとも一度マッピングされるようにする最も小さい値であることを特徴とする、方法。
【請求項２】
前記関連区間は前記ＰＲＡＣＨ設定区間の整数倍であることを特徴とし、
前記関連区間セットの少なくとも一つの関連区間は、前記ＰＲＡＣＨ設定区間に基づいて予め定義されることを特徴とする、請求項１に記載の方法。
【請求項３】
前記関連区間内の前記ＳＳＢｓに係わらない少なくとも一つのランダムアクセスオケーションは、前記ランダムアクセスプリアンブルの送信に使用されないことを特徴とする、請求項１に記載の方法。
【請求項４】
ランダムアクセスオケーション個数に関する第３情報が前記基地局から前記第１情報と共に受信され、
前記第１情報、前記第２情報及び前記第３情報に基づいて、前記関連区間が識別され、
前記ランダムアクセスオケーションは前記第１情報に基づいて時間ドメインで識別され、前記第３情報に基づいて周波数ドメインで識別されることを特徴とする、請求項１に記載の方法。
【請求項５】
無線通信システムにおいて基地局による方法であって、
端末でＰＲＡＣＨ(ｐｈｙｓｉｃａｌ  ｒａｎｄｏｍ  ａｃｃｅｓｓ  ｃｈａｎｎｅｌ)設定区間に関する第１情報を送信する段階と、
前記端末でＳＳＢｓ(ｓｙｎｃｈｒｏｎｉｚａｔｉｏｎ  ｓｉｇｎａｌ  ｂｌｏｃｋｓ)の個数に関する第２情報を送信する段階と、及び
前記端末から、前記第１情報及び前記第２情報に基づいて識別された関連区間内のランダムアクセスオケーションでランダムアクセスプリアンブルを受信する段階と、を含み、
前記関連区間は、前記ＰＲＡＣＨ設定区間に相応する関連区間セットのうちで、前記ＳＳＢｓが前記関連区間内の前記ランダムアクセスオケーションに少なくとも一度マッピングされるようにする最も小さい値であることを特徴とする、方法。
【請求項６】
前記関連区間は前記ＰＲＡＣＨ設定区間の整数倍であることを特徴とし、
前記関連区間セットの少なくとも一つの関連区間は、前記ＰＲＡＣＨ設定区間に基づいて予め定義されることを特徴とする、請求項５に記載の方法。
【請求項７】
前記関連区間内の前記ＳＳＢｓに係わらない少なくとも一つのランダムアクセスオケーションは、前記ランダムアクセスプリアンブルの送信に使用されず、
ランダムアクセスオケーション個数に関する第３情報が前記端末で前記第１情報と共に送信され、
前記第１情報、前記第２情報及び前記第３情報に基づいて、前記関連区間が識別され、
前記ランダムアクセスオケーションは前記第１情報に基づいて時間ドメインで識別され、前記第３情報に基づいて周波数ドメインで識別されることを特徴とする、請求項５に記載の方法。
【請求項８】
無線通信システムにおける端末であって、
信号を送受信するように構成される送受信機と、及び
基地局からＰＲＡＣＨ(ｐｈｙｓｉｃａｌ  ｒａｎｄｏｍ  ａｃｃｅｓｓ  ｃｈａｎｎｅｌ)設定区間に関する第１情報を受信し、
前記基地局からＳＳＢｓ(ｓｙｎｃｈｒｏｎｉｚａｔｉｏｎ  ｓｉｇｎａｌ  ｂｌｏｃｋｓ)の個数に関する第２情報を受信し、
前記第１情報及び前記第２情報に基づいて関連区間を識別し、
前記基地局へ、前記関連区間内のランダムアクセスオケーションでランダムアクセスプリアンブルを送信するプロセッサと、を含み、
前記関連区間は、前記ＰＲＡＣＨ設定区間に相応する関連区間セットのうちで、前記ＳＳＢｓが前記関連区間内の前記ランダムアクセスオケーションに少なくとも一度マッピングされるようにする最も小さい値であることを特徴とする、端末。
【請求項９】
前記関連区間は前記ＰＲＡＣＨ設定区間の整数倍であることを特徴とし、
前記関連区間セットの少なくとも一つの関連区間は、前記ＰＲＡＣＨ設定区間に基づいて予め定義されることを特徴とする、請求項８に記載の端末。
【請求項１０】
前記関連区間内の前記ＳＳＢｓに係わらない少なくとも一つのランダムアクセスオケーションは、前記ランダムアクセスプリアンブルの送信に使用されないことを特徴とする、請求項８に記載の端末。
【請求項１１】
ランダムアクセスオケーション個数に関する第３情報が前記基地局から前記第１情報と共にに受信され、
前記第１情報、前記第２情報及び前記第３情報に基づいて、前記関連区間が識別され、
前記ランダムアクセスオケーションは前記第１情報に基づいて時間ドメインで識別され、前記第３情報に基づいて周波数ドメインで識別されることを特徴とする、請求項８に記載の端末。
【請求項１２】
無線通信システムにおける基地局であって、
信号を送受信するように構成される送受信機と、及び
端末でＰＲＡＣＨ(ｐｈｙｓｉｃａｌ  ｒａｎｄｏｍ  ａｃｃｅｓｓ  ｃｈａｎｎｅｌ)設定区間に関する第１情報を送信し、
前記端末でＳＳＢｓ(ｓｙｎｃｈｒｏｎｉｚａｔｉｏｎ  ｓｉｇｎａｌ  ｂｌｏｃｋｓ)の個数に関する第２情報を送信し、
前記端末から、前記第１情報及び前記第２情報に基づいて識別された関連区間内のランダムアクセスオケーションでランダムアクセスプリアンブルを受信するプロセッサと、を含み、
前記関連区間は、前記ＰＲＡＣＨ設定区間に相応する関連区間セットのうちで、前記ＳＳＢｓが前記関連区間内の前記ランダムアクセスオケーションに少なくとも一度マッピングされるようにする最も小さい値であることを特徴とする、基地局。
【請求項１３】
前記関連区間は前記ＰＲＡＣＨ設定区間の整数倍であることを特徴とし、
前記関連区間セットの少なくとも一つの関連区間は、前記ＰＲＡＣＨ設定区間に基づいて予め定義されることを特徴とする、 請求項１２に記載の基地局。
【請求項１４】
前記関連区間内の前記ＳＳＢｓに係わらない少なくとも一つのランダムアクセスオケーションは、前記ランダムアクセスプリアンブルの送信に使用されないことを特徴とする、請求項１２に記載の基地局。
【請求項１５】
ランダムアクセスオケーション個数に関する第３情報が前記端末で前記第１情報と共に送信され、
前記第１情報、前記第２情報及び前記第３情報に基づいて、前記関連区間が識別され、
前記ランダムアクセスオケーションは前記第１情報に基づいて時間ドメインで識別され、前記第３情報に基づいて周波数ドメインで識別されることを特徴とする、 請求項１２に記載の基地局。
【発明の詳細な説明】
【技術分野】
【０００１】
本開示は、無線通信の技術分野に関する。より詳しく、本開示は同期信号ブロック(ｓｙｎｃｈｒｏｎｉｚａｔｉｏｎ  ｓｉｇｎａｌ  ｂｌｏｃｋ、ＳＳＢ)に対する関連区間(ａｓｓｏｃｉａｔｉｏｎ  ｐｅｒｉｏｄ)を決定する方法及び装置に関する。
【背景技術】
【０００２】
４Ｇ通信システムの配置以後に増加された無線データトラフィック需要を満たすために、改善された５Ｇ又はｐｒｅ−５Ｇ通信システムを開発するための努力が行われた。したがって、５Ｇ又はｐｒｅ−５Ｇ通信システムは‘Ｂｅｙｏｎｄ ４Ｇ Ｎｅｔｗｏｒｋ’又は‘Ｐｏｓｔ ＬＴＥ’と呼ばれている。５Ｇ通信システムは超高周波(ｍｍＷａｖｅ)帯域、例えば、６０ＧＨｚ帯域で具現されてより高いデータ速度を達成することで考慮される。無線波(ｒａｄｉｏ  ｗａｖｅ)の電波損失を減少させて、送信距離を増加させるために、ビームフォーミング(ｂｅａｍｆｏｒｍｉｎｇ)、大量ＭＩＭＯ、ＦＤ−ＭＩＭＯ、アレイアンテナ、アナログビームフォーミング、大規模アンテナ技術は５Ｇ通信システムで論議される。さらに、５Ｇシステムにおいて、先端(ａｄｖａｎｃｅｄ)小型セル、クラウドＲＡＮ(Ｒａｄｉｏ Ａｃｃｅｓｓ Ｎｅｔｗｏｒｋ)、超高密度ネットワーク(ｕｌｔｒａ−ｄｅｎｓｅ ｎｅｔｗｏｒｋ)、Ｄ２Ｄ(Ｄｅｖｉｃｅ ｔｏ Ｄｅｖｉｃｅ)通信、無線バックホール、移動ネットワーク、協力通信、ＣｏＭＰ(Ｃｏｏｒｄｉｎａｔｅｄ Ｍｕｌｔｉ−Ｐｏｉｎｔ)、受信端干渉除去などを基づいてシステムネットワーク改選のための開発が進行されている。５ＧシステムにおいてＡＣＭ(Ａｄｖａｎｃｅｄ Ｃｏｄｉｎｇ Ｍｏｄｕｌａｔｉｏｎ)としてハイブリッドＦＱＡＭ(Ｈｙｂｒｉｄ ＦＳＫ ａｎｄ ＱＡＭ Ｍｏｄｕｌａｔｉｏｎ)、及び先端アクセス技術としてＦＢＭＣ(Ｆｉｌｔｅｒ Ｂａｎｋ Ｍｕｌｔｉ Ｃａｒｒｉｅｒ)、ＮＯＭＡ(ｎｏｎ ｏｒｔｈｏｇｏｎａｌ ｍｕｌｔｉｐｌｅ ａｃｃｅｓｓ)、及びＳＣＭＡ(ｓｐａｒｓｅ ｃｏｄｅ ｍｕｌｔｉｐｌｅ ａｃｃｅｓｓ)が開発された。
【０００３】
人間が情報を生成して消費する人間中心の接続ネットワークであるインターネットは、もう事物(ｔｈｉｎｇｓ)のような分散されたエンティティーが人間の介入無しに情報を交換して処理するＩｏＴ(Ｉｎｔｅｒｎｅｔ  ｏｆ  Ｔｈｉｎｇｓ)へ進化しつつある。クラウドサーバーとの接続を介してＩｏＴ技術とビッグデータ(Ｂｉｇ  Ｄａｔａ)処理技術の組み合わせであるＩｏＥ(Ｉｎｔｅｒｎｅｔ  ｏｆ  Ｅｖｅｒｙｔｈｉｎｇ)が登場した。“センシング技術”、“有無線通信及びネットワークインフラ構造”、“サービスインターフェース技術”及び“保安技術”のような技術要素がＩｏＴ具現のために要求されたことによって、センサーネットワーク、Ｍ２Ｍ(Ｍａｃｈｉｎｅ−ｔｏ−Ｍａｃｈｉｎｅ)通信、ＭＴＣ(Ｍａｃｈｉｎｅ  Ｔｙｐｅ  Ｃｏｍｍｕｎｉｃａｔｉｏｎ)などは最近に研究されてきた。このようなＩｏＴ環境は接続された事物の間に生成されたデータを収集して分析することによって人間の生活に新しい価値を創出する知能型インターネット技術サービスを提供することができる。ＩｏＴは既存の情報技術(Ｉｎｆｏｒｍａｔｉｏｎ  Ｔｅｃｈｎｏｌｏｇｙ；ＩＴ)と多様な産業用アプリケーションの間のコンバージェンス(ｃｏｎｖｅｒｇｅｎｃｅ)及び組み合せを介してスマートホーム、スマートビルディング、スマートシティ、スマートカー又はコネクテッドカー(ｃｏｎｎｅｃｔｅｄ  ｃａｒ)、スマートグリッド、ヘルスケア、スマート家電及び先端医療サービスを含む多様な分野に適用されることができる。
【０００４】
これによって、５Ｇ通信システムをＩｏＴネットワークに適用するための多様な試みが行われた。例えば、センサーネットワーク、ＭＴＣ(Ｍａｃｈｉｎｅ  Ｔｙｐｅ  Ｃｏｍｍｕｎｉｃａｔｉｏｎ)及びＭ２Ｍ(Ｍａｃｈｉｎｅ−ｔｏ−Ｍａｃｈｉｎｅ)通信のような技術はビームフォーミング、ＭＩＭＯ及びアレイアンテナによって具現されることができる。上述したビッグデータ処理技術としてのクラウドＲＡＮ(Ｒａｄｉｏ  Ａｃｃｅｓｓ  Ｎｅｔｗｏｒｋ)の適用はさらに５Ｇ技術とＩｏＴ技術の間のコンバージェンスの一例として見なされることができる。
【発明の概要】
【発明が解決しようとする課題】
【０００５】
例えば、ランダムアクセスプロセスの間の無線リソース制御の設定前に、ＮＲ(ｎｅｗ  ｒａｄｉｏ)通信システムにおいて、ランダムアクセスの遂行はユーザの経験に直接的に影響を及ぼす。従来の無線通信システム、例えば、ＬＴＥ又はＬＴＥ−ａｄｖａｎｃｅｄの場合、ランダムアクセスプロセスは初期リンクの設定、セルハンドオーバー、アップリンクの再設定及びＲＲＣ接続の再設定のような多様なシナリオで用いられる。
【０００６】
知られた無線通信システムにおいて、ダウンリンク通信の間、システムは同期信号／物理的ブロードキャストチャンネル(ｐｈｙｓｉｃａｌ  ｂｒｏａｄｃａｓｔ  ｃｈａｎｎｅｌ、ＰＢＣＨ)ブロック(ＳＳＢ)を介してユーザに同期信号及びブロードキャストチャンネルを周期的に送信する。周期性はＳＳＢ周期性又はＳＢバースト周期性と呼ばれる。一方、基地局は特定数のＰＲＡＣＨ送信オケーション(ｏｃｃａｓｉｏｎ)(ＲＯ)が設定される物理的ランダムアクセスチャンネル(ｐｈｙｓｉｃａｌ  ｒａｎｄｏｍ  ａｃｃｅｓｓ  ｃｈａｎｎｅｌ、ＰＲＡＣＨ)設定区間を設定し、すべてのＳＳＢは関連区間(特定持続期間(ｄｕｒａｔｉｏｎ)）内に該当するＲＯに連関されることができる。この場合に、ＳＳＢに対する関連区間の値は相対的に固定されて動的に調整されることができないので、ＮＲ通信システムの要求事項は基地局とユーザ装置の間のランダムアクセスの低い効率によって充足されることができない。
【０００７】
これを考慮して、上述した技術的問題を解決するために同期信号ブロックに対する関連区間を決定する方法及び装置を提供する必要がある。
【０００８】
上述した情報は本開示の理解のみを助けるために背景情報として提供される。上述した事項のうちのいずれが本開示に係って先行技術として適用されることができるかに関してどんな決定も下ろされなく、どんな主張も成り立たない。
【課題を解決するための手段】
【０００９】
本開示の態様は、少なくとも上述した問題点及び／又は短所を解決し、少なくとも以下で説明される利点を提供することである。したがって、本開示の態様は同期信号ブロック(ＳＳＢ)の関連区間が動的に調整されることができるＳＳＢに対する関連区間を決定する方法及び装置を提供することである。
【００１０】
付加的な態様は、部分的に以下の説明で説明されるが、部分的にはこのような説明から明らかになるか、提示された実施例の実施によって分かるようになることができる。
【００１１】
本開示の一態様によれば、無線通信システムにおいて端末による方法が提供される。方法は基地局からＰＲＡＣＨ設定区間に対する第１情報を含むメッセージを受信する段階と、ＰＲＡＣＨ設定区間に相応する関連区間セットを識別する段階と、関連区間セットから関連区間を識別する段階と、及び関連区間内でランダムアクセスオケーションにおけるランダムアクセスプリアンブルを基地局へ送信する段階と、を含む。
【００１２】
本開示の他の実施例によれば、メッセージはＳＳＢ周期内で多数の同期信号ブロック(ＳＳＢ)に対する第２情報をさらに含み、関連区間は第２情報に基づいて関連区間セットから識別される。
【００１３】
本開示の他の実施例によれば、関連区間はＳＳＢ周期内のすべてのＳＳＢを関連区間内の相応するランダムアクセスオケーションに少なくとも一度マッピングするように識別される。
【００１４】
本開示の他の実施例によれば、関連区間はＳＳＢ周期内のすべてのＳＳＢが関連区間内の相応するランダムアクセスオケーションにマッピングされるように関連区間セットからの最も小さい値である。
【００１５】
本開示の他の実施例によれば、ＳＳＢ周期内で任意のＳＳＢにマッピングされない関連区間内の少なくとも一つのランダムアクセスオケーションはランダムアクセスプリアンブルの送信に使用されない。
【００１６】
本開示の他の態様によれば、無線通信システムにおいて基地局による方法が提供される。方法はＰＲＡＣＨ設定区間に対する第１情報を含むメッセージを端末に送信する段階と、及び端末から関連区間内でランダムアクセスオケーションにおけるランダムアクセスプリアンブルを受信する段階と、を含み、関連区間はＰＲＡＣＨ設定区間に相応する関連区間セットから識別される。
【００１７】
本開示の他の態様によれば、無線通信システムにおける端末が提供される。端末は信号を送受信する送受信機と、及び基地局からＰＲＡＣＨ設定区間に対する第１情報を含むメッセージを受信し、ＰＲＡＣＨ設定区間に相応する関連区間セットを識別し、関連区間セットから関連区間を識別し、関連区間内でランダムアクセスオケーションにおけるランダムアクセスプリアンブルを基地局へ送信するために受信機を制御するように構成された少なくとも一つのプロセッサと、を含む。
【００１８】
本開示の他の態様によれば、無線通信システムにおける基地局が提供される。基地局は信号を送受信する送受信機と、及びＰＲＡＣＨ設定区間に対する第１情報を含むメッセージを端末に送信し、端末から関連区間内でランダムアクセスオケーションにおけるランダムアクセスプリアンブルを受信するために送受信機を制御するように構成された少なくとも一つのプロセッサと、を含み、関連区間はＰＲＡＣＨ設定区間に相応する関連区間セットから識別される。
【発明の効果】
【００１９】
従来技術と比べて、本開示は次のような技術的(及び有利な)効果を有するが、ここに限定されない。ＳＳＢに対して設定された有効な関連区間によってＳＳＢに対する関連区間を決定することによって、実際に用いられた期間(すなわち、ＳＳＢに対する関連区間)の数又は持続期間は柔軟に調整されることができ、基地局とユーザ装置の間のランダムアクセスの効率は改善される。
【００２０】
本開示の他の態様、長所及び顕著な特徴は添付された図面に係って取られた後の詳細な説明から通常の技術者に明らかになり、これは本開示の多様な実施例を開示する。
【００２１】
本開示の特定実施例の上述した他の態様、特徴及び利点は添付された図面と共に次の説明からより明らかになるだろう。
【図面の簡単な説明】
【００２２】
【図１】本開示の一実施例による同期信号ブロック(ＳＳＢ)に対する関連区間を決定する方法のフローチャートである。
【図２】本開示の一実施例によるＳＳＢとＰＲＡＣＨ送信オケーションの間の第１関連の概路図である。
【図３】本開示の一実施例によるＳＳＢとＰＲＡＣＨ送信オケーションの間の第２関連の概路図である。
【図４】本開示の一実施例によるＳＳＢとＰＲＡＣＨ送信オケーションの間の第３関連の概路図である。
【図５】本開示の一実施例によってＳＳＢに対する関連区間を決定する方法を具現するためのユーザ装置のモジュールブロック図である。
【図６】本開示の一実施例による端末の構造を示したダイヤグラムである。
【図７】本開示の一実施例による基地局の構造を示した示したダイヤグラムである。
【発明を実施するための形態】
【００２３】
図面全体にかけて、同一な参照番号は同一又は類似の要素、特徴及び構造を示すのに用いられるということが注目されるべきである。
添付された図面を参照した以下の説明は請求範囲及びその均等物によって定義されたような開示の多様な実施形態の包括的な理解を助けるために提供される。これは該当理解を助けるための多様な特定詳細事項を含むが、これらはただ例示的なことで見なされなければならない。したがって、通常の技術者は本明細書で説明された多様な実施例の多様な変更及び修正が本開示の範囲及び思想を逸脱せず成ることができることを認識するだろう。さらに、明瞭性及び簡潔性のためによく知られた機能及び構造に対する説明は省略されることができる。
【００２４】
以下の説明及び請求範囲で用いられた用語及び単語は書誌上の意味に限定されず、発明者が本開示に対する明確でかつ一貫された理解を可能にするためにだけ用いられる。したがって、本開示の多様な実施例に対する次の説明はただ例示のための提供され、添付された請求範囲及びこの均等物によって定義されたように本開示を制限するために提供されないということが通常の技術者に明白しなければならない。
【００２５】
単数形式“ａ”、“ａｎ”及び“ｔｈｅ”は文脈が明白に異なるように指示しない限り複数対象を含むということが理解されなければならない。したがって、例えば、“構成要素表面”に対する参照はこのような表面のうちの一つ以上に対する参照を含む。
【００２６】
通常の技術者は単数形態  “ａ”、“ａｎ”、“ｔｈｅ”及び“ｓａｉｄ”は特に言及しない限り複数形態を含むことに意図されることができるということを理解しなければならない。本開示の明細書で用いられた“含む／含み(ｃｏｍｐｒｉｓｅ／ｃｏｍｐｒｉｓｉｎｇ)”という用語は言及された特徴、定数、動作、要素及び／又は構成要素の存在を明示するが、一つ以上の他の特徴、定数、動作、要素、構成要素及び／又はこの組み合せの存在又は付加を排除しないということが理解されなければならない、構成要素が異なる構成要素に“接続された(ｃｏｎｎｅｃｔｅｄ  ｔｏ)”又は“結合された(ｃｏｕｐｌｅｄ  ｔｏ)”のに指称される時、他の要素に直接接続されるか結合されることができるかその間に介在された要素が提供されることができるということが理解されなければならない。さらに、本明細書に用いられたように、“接続された”又は“結合された”は無線接続又は結合を含むことができる。本明細書に用いられたように、“及び／又は”という用語は一つ以上の連関される羅列された項目又はこの組み合せの全部又はいずれかの一つを含む。
【００２７】
通常の技術者は、特に言及しない限り本明細書で用いられたすべての用語(技術及び科学用語を含み)は本開示が属する通常の技術者によって一般的に理解されることと同一な意味を有するということを理解しなければならない。一般的に用いられる辞典に定義された用語のような用語は先行技術の脈絡で意味と一致する意味を有することで解釈されなければならなく、本明細書に明白に定義されなければ理想的であるか形式的な意味で解釈されないだろう。
【００２８】
本明細書に用いられたように用語“端末”及び“ユーザ装置”はエミッション能力(ｅｍｉｓｓｉｏｎ  ｃａｐａｂｉｌｉｔｙ)を有しない無線信号受信機を有するデバイスだけではなく両方向通信リンクを介して両方向通信を行うことができる受信及びエミッションハードウェアを有するデバイスを含むということを通常の技術者は理解しなければならない。このようなデバイスは単一回線ディスプレー又は多重回線ディスプレーを有するか多重回線ディスプレーを有しないセルラ又は他の通信デバイス；音声、データ処理、ファクシミリ及び／又はデータ通信の機能を組み合わせた個人通信システム(ｐｅｒｓｏｎａｌ  ｃｏｍｍｕｎｉｃａｔｉｏｎ  ｓｙｓｔｅｍ、ＰＣＳ)；無線周波数(ＲＦ)受信機、ページャ、インターネットネットワーク／イントラネットアクセス、ウェッブブラウザー、ノートパッド、カレンダー及び／又はＰＳ(ｇｌｏｂａｌ  ｐｏｓｉｔｉｏｎｉｎｇ  ｓｙｓｔｅｍ)受信機を含むことができるＰ(ｐｅｒｓｏｎａｌ  ｄｉｇｉｔａｌ  ａｓｓｉｓｔａｎｔｓ)；及び／又は通常のラップトップ及び／又はパームトップコンピューター又はＲＦ受信機を有して／有するか含む他のデバイスを含むことができる。本明細書に用いられたような“端末”及び“端末装置”は携帯可能で、運送可能で、運送(大気、海上及び／又は陸上運送)に装着可能であるか、局地的に行うのに適切で／適切であるか構成されて／構成されるか実行のための大地(ｅａｒｔｈ)及び／又は空間の他の場所に分布されることができる。本明細書に用いられたような“端末”及び“端末装置”は通信端末、インターネット端末、音楽／ビデオプレーヤー端末であれば良い。例えば、これはＰＤＡ、モバイルインターネットデバイス(ｍｏｂｉｌｅ  ｉｎｔｅｒｎｅｔ  ｄｅｖｉｃｅ、ＭＩＤ)及び／又は音楽／ビデオ再生機能を有する移動電話であれば良いか、スマートテレビ(ＴＶ)及びセットトップボックスのような装置であれば良い。
【００２９】
図１は、本開示の一実施例による同期信号ブロック(ＳＳＢ)に対する関連区間を決定する方法のフローチャートである。図２は、本開示の一実施例によるＳＳＢとＰＲＡＣＨ送信オケーションの間の第１関連の概路図である。図３は、本開示の一実施例によるＳＳＢとＰＲＡＣＨ送信オケーションの間の第２関連の概路図である。図４は、本開示の一実施例によるＳＳＢとＰＲＡＣＨ送信オケーションの間の第３関連の概路図である。
【００３０】
図１乃至図４を参照すれば、本開示によって提供されるＳＳＢに対する関連区間を決定する方法は、動作１０１：基地局によって送信された第１設定情報を受信する段階；動作１０２：第１設定情報によるＳＳＢに対する有効な関連区間セットを決定する段階；及び動作１０３：ＳＳＢに対する有効な関連区間セットからＳＳＢに対する関連区間を決定する段階を含む。
【００３１】
本開示によって提供されるＳＳＢに対する関連区間を決定する方法は以下で説明されるだろう。
【００３２】
ユーザ装置(ＵＥ)はネットワーク側から物理的ランダムアクセスチャンネル(ＰＲＡＣＨ)設定情報及び／又は同期信号設定情報を受信する。
【００３３】
同期信号設定情報はＳＳＢ周期、及び一つのＳＳＢ周期内のＳＳＢの数及び／又は位置を少なくとも含む。例えば、一つのスロット内で第Ｍ  ＯＦＤＭシンボルからのＮ個の連続的なＯＦＤＭ(ｏｒｔｈｏｇｏｎａｌ  ｆｒｅｑｕｅｎｃｙ−ｄｉｖｉｓｉｏｎ  ｍｕｌｔｉｐｌｅｘｉｎｇ)シンボルは一つのＳＳＢとして見なされる。すなわち、ＵＥは一つのＳＳＢ周期及び相応する位置内ですべてのＳＳＢの数(Ｎ＿ＳＳＢｐｅｒＰｅｒｉｏｄ)を決定することができる。
【００３４】
ＰＲＡＣＨ設定情報はＰＲＡＣＨ設定区間又はＲＡＣＨ区間、ＰＲＡＣＨ設定インデックス、ＰＲＡＣＨ周波数ドメイン設定(ＰＲＡＣＨ＿ＦＤＭ)、それぞれのＰＲＡＣＨオケーション(ＲＯ)と連関されたＳＳＢの数(ｎｕｍＯｆＳＳＢｐｅｒＲＯ)などを少なくとも含み、ＰＲＡＣＨ設定インデックスは一つのＰＲＡＣＨ設定区間内で時間ドメイン内のＲＯの数及び／又は位置をユーザに通知するために用いられる設定セットを示し、ＰＲＡＣＨ＿ＦＤＭは周波数領域で一つのＰＲＡＣＨ設定区間内で時間領域内にあるＲＯの数及び／又は位置を示す。すなわち、ＵＥは一つのＰＲＡＣＨ設定区間内ですべてのＲＯの数Ｎ＿ＲＯｐｅｒＲＡＣＨｐｅｒｏｉｄ及び／又は位置を決定することができる。
【００３５】
さらに、ＵＥは特定規則に従って実際有効なＲＯの数Ｎ＿ｖａｌｉｄＲＯｐｅｒＲＡＣＨｐｅｒｏｉｄ及び位置を獲得する必要があり得る。このような規則は次の方式のうちの少なくとも一つを含むことができる：
【００３６】
ネットワーク設定のアップリンク／ダウンリンク設定でダウンリンク部分と衝突するＲＯは有効ではないＲＯとして見なされて；
【００３７】
ネットワーク設定のアップリンク／ダウンリンク設定で柔軟な部分にＳＳＢを含む部分と衝突するＲＯは有効ではないＲＯとして見なされて；
【００３８】
ネットワーク設定のアップリンク／ダウンリンク設定で柔軟な部分の任意のＳＳＢ又は最後のＳＳＢ前の部分と衝突するＲＯは有効ではないＲＯとして見なされる。
【００３９】
ＵＥは次の動作によって有効なＲＯを決定することができる。
【００４０】
ＵＥはＰＲＡＣＨ設定情報及びアップリンク／ダウンリンク設定情報によって有効なＲＯを決定する。例えば、ＵＥはＰＲＡＣＨ設定情報によって設定されたＲＯの数及び位置を通知して；アップリンク／ダウンリンク設定情報によって、ＵＥはＸ部分がなくシステム内のダウンリンク部分又はアップリンク部分だけがあることを通知し、その後、ダウンリンク部分のすべてのＲＯは有効ではないが、アップリンク部分のすべてのＲＯは有効である。
【００４１】
ＵＥはＰＲＡＣＨ設定情報及びＳＳＢ設定情報によって有効なＲＯを決定する。例えば、ＵＥはＰＲＡＣＨ設定情報によってＲＯの数及び位置を通知して；ＵＥはＳＳＢ設定情報によってＳＳＢの数及び位置を獲得し、その後、ＳＳＢと衝突するかＳＳＢ前のすべてのＲＯは有効ではない。
【００４２】
ＵＥはＰＲＡＣＨ設定情報及びＳＳＢ設定情報だけでなくアップリンク／ダウンリンク設定情報によって有効なＲＯを決定する。例えば、ＵＥはＰＲＡＣＨ設定情報によってＲＯの数及び位置を通知して；アップリンク／ダウンリンク設定情報によって、ＵＥはシステム内にダウンリンク部分、Ｘ部分及びアップリンク部分があることを通知し、その後、ダウンリンク部分のすべてのＲＯは有効ではなく、ＳＳＢ前又はＸ部分でＳＳＢと衝突するＲＯは有効ではないが、アップリンク部分のすべてのＲＯは有効である。
【００４３】
特に、ＵＥが規則によって有効ではない任意のＲＯを見つけられない場合、Ｎ＿ｖａｌｉｄＲＯｐｅｒＲＡＣＨｐｅｒｏｉｄ＝Ｎ＿ＲＯｐｅｒＲＡＣＨｐｅｒｏｉｄである。
【００４４】
したがって、ＵＥは次のような方式で特定規則によって有効なＳＳＢ対ＲＯ関連区間(以下、関連区間ともする)を決定する必要がある：
【００４５】
有効な関連区間及び／又は設定されたＰＲＡＣＨ設定区間による関連区間セットを決定すること；
【００４６】
有効な関連区間及び／又は設定されたＳＳＢ周期によった関連区間セットを決定すること、ここで、設定されたＳＳＢ周期は基地局装置によって設定されてＵＥに送信されることができて／できるか、ＵＥによって自律的に決定されるＳＳＢ周期(例えば、ＵＥによって仮定された固定されたＳＳＢ周期)であれば良く；
【００４７】
有効な関連区間及び／又は設定されたＰＲＡＣＨ設定区間及び設定されたＳＳＢ周期の中で最大のことによる関連区間セットを決定すること；及び
【００４８】
有効な関連区間及び／又は相違する周波数帯域によって設定されたＰＲＡＣＨ設定区間及び設定されたＳＳＢ周期のうちのいずれか一つを用いて関連区間セットを決定すること。
【００４９】
有効な関連区間及び／又は設定されたＰＲＡＣＨ設定区間による関連区間セットの決定を例として取ることによって、ＵＥはＮ＿ｖａｌｉｄＲＯｐｅｒＲＡＣＨｐｅｒｏｉｄ及びｎｕｍＯｆＳＳＢｐｅｒＲＯによって一つの与えられたＲＡＣＨ区間内で連関されることができるＳＳＢの数を決定することができ、その後、Ｎ＿ＳＳＢｐｅｒＰｅｒｉｏｄによって一つのＳＳＢ周期内のすべてのＳＳＢを相応するＲＯにマッピングするためにＮ＿ｍａｐｐｉｎｇ完了ＲＡＣＨ区間が必要であるということを推論することができる。
【００５０】
ＵＥが関連区間セットを決定すると、ＵＥは実際関連区間が決定された有効な関連区間セット内のＮ＿ｍａｐｐｉｎｇより大きい又は同じ最小関連区間の値と決定する。例えば、１０ｍｓのＰＲＡＣＨ設定区間に対し、ＵＥによって決定される関連区間セットは｛１，２，４，８，１６｝ＰＲＡＣＨ設定区間であり；ＰＲＡＣＨ設定情報及び／又は同期信号設定情報によってＵＥによって計算されたＮ＿ｍａｐｐｉｎｇが３と同一であれば、関連区間セットから３より大きい又は同じな最小値が選択され、すなわち、最終的に決定された関連区間は４のＰＲＡＣＨ設定区間である。ＵＥは次の動作を行う：
【００５１】
最終的に決定された関連区間内で、計算された関連区間内の一つ以上のＳＳＢ周期内のすべてのＳＳＢが完全に連関されることができるＲＯを除いた残りＲＯは有効ではないＲＯとして見なされることができて；図３に示されたように、一つのＳＳＢ周期内に４個のＳＳＢが存在し、一つのＲＡＣＨ区間内に４個のＲＯが存在し、一つのＲＯは一つのＳＳＢに連関され、計算された関連区間はＮ＿ｍａｐｐｉｎｇ＝２ＲＡＣＨ区間であり、決定された関連区間セットの値は２であり、すなわち、最終的に決定された関連区間は２ＲＡＣＨ区間であり；この場合に、２ＲＡＣＨ区間内の残りＲＯ(ＳＳＢが完全に連関されているＲＯを除き)は有効ではないＲＯであるか；
【００５２】
最終決定された関連区間内で、一つ以上のＳＳＢ周期内のすべてのＳＳＢが完全に連関されることができるＲＯを除いた残りＲＯは有効ではないＲＯとして見なされる。
【００５３】
ＵＥが固定された関連区間の値を決定する、ＵＥは決定された固定された関連区間の値を実際関連区間として用い、ＵＥは次のような動作を行う：
【００５４】
最終的に決定された関連区間内で、計算された関連区間内の一つ以上のＳＳＢ周期内のすべてのＳＳＢが完全に連関されることができるＲＯを除いた残りＲＯは有効ではないＲＯとして見なされることができるか；
【００５５】
最終決定された関連区間内で、一つ以上のＳＳＢ周期内のすべてのＳＳＢが完全に連関されることができるＲＯを除いた残りＲＯは有効ではないＲＯとして見なされる。
【００５６】
ＵＥによる相違する規則に従った有効な関連区間の決定に対する幾つかの実施例は以下で説明されるだろう。
【００５７】
実施例１(ＰＲＡＣＨ設定区間)  
【００５８】
本実施例で、本開示は有効な関連区間及び／又は設定されたＰＲＡＣＨ設定区間による関連区間セットの決定を例として取ることによって説明されるだろう。
【００５９】
ＵＥはネットワーク側(例えば、ブロードキャストチャンネル、ダウンリンク制御チャンネル又は上位階層シグナリング)からＰＲＡＣＨ設定情報及び／又は同期信号設定情報を受信する。
【００６０】
同期信号設定情報はＳＳＢ周期、及び一つのＳＳＢ周期内のＳＳＢの数及び／又は位置を少なくとも含む。例えば、一つのスロット内で第Ｍ  ＯＦＤＭシンボルからのＮ個の連続的なＯＦＤＭシンボルは一つのＳＳＢとして見なされる。すなわち、ＵＥは一つのＳＳＢ周期及び相応する位置内ですべてのＳＳＢの数(Ｎ＿ＳＳＢｐｅｒＰｅｒｉｏｄ)を決定することができる。
【００６１】
ＰＲＡＣＨ設定情報はＰＲＡＣＨ設定区間又はＲＡＣＨ区間、ＰＲＡＣＨ設定インデックス、ＰＲＡＣＨ周波数ドメイン設定(ＰＲＡＣＨ＿ＦＤＭ)、それぞれのＰＲＡＣＨオケーション(ＲＯ)と連関されたＳＳＢの数(ｎｕｍＯｆＳＳＢｐｅｒＲＯ)などを少なくとも含み、ＰＲＡＣＨ設定インデックスは一つのＰＲＡＣＨ設定区間内で時間ドメイン内のＲＯの数及び／又は位置をユーザに通知するために用いられる設定セットを示し、ＰＲＡＣＨ＿ＦＤＭは周波数領域で一つのＰＲＡＣＨ設定区間内で時間領域内にあるＲＯの数及び／又は位置を示す。すなわち、ＵＥは一つのＰＲＡＣＨ設定区間内ですべてのＲＯの数のＮ＿ＲＯｐｅｒＲＡＣＨｐｅｒｏｉｄ及び／又は位置を決定することができる。さらに、ＵＥは特定規則によって実際有効なＲＯの数Ｎ＿ｖａｌｉｄＲＯｐｅｒＲＡＣＨｐｅｒｏｉｄ及び位置を獲得する必要があり得る。このような規則は次の方式のうちの少なくとも一つを含むことができる：
【００６２】
ネットワーク設定のアップリンク／ダウンリンク設定でダウンリンク部分と衝突するＲＯは有効ではないＲＯとして見なされて；
【００６３】
ネットワーク設定のアップリンク／ダウンリンク設定で柔軟な部分にＳＳＢを含む部分と衝突するＲＯは有効ではないＲＯとして見なされて；
【００６４】
ネットワーク設定のアップリンク／ダウンリンク設定で柔軟な部分の任意のＳＳＢ又は最後のＳＳＢ前の部分と衝突するＲＯは有効ではないＲＯとして見なされる。
【００６５】
特に、ＵＥが規則に従って有効ではない任意のＲＯを見つけられない場合、Ｎ＿ｖａｌｉｄＲＯｐｅｒＲＡＣＨｐｅｒｏｉｄ＝Ｎ＿ＲＯｐｅｒＲＡＣＨｐｅｒｏｉｄである。
【００６６】
この場合に、ＵＥは特定規則によって有効なＳＳＢ対ＲＯ関連区間(以下、関連区間ともする)を決定する必要がある。この実施例で、方法は有効な関連区間及び／又は設定されたＰＲＡＣＨ設定区間による関連区間セットを決定することである。具体的には：
【００６７】
相応する関連区間の値及び／又はセットは次の表に示されたように負ではない２の累乗(ｉｎｔｅｇｅｒ  ｐｏｗｅｒ)で表現される特定規則によって相違するＰＲＡＣＨ設定区間の間の決定される：
【００６８】
【表１】
2021517752.tif 000003
【００６９】
直接マッピング関係テーブルに加え、ＰＲＡＣＨ設定区間及び相応する関連区間の値及び／又はセットはさらに他の等価の表現方法、例えば、公式によって示されることができ、例えば：
【００７０】
それぞれのＲＡＣＨ区間に相応する関連区間の値及び／又はセットは次のように表現される：
【００７１】
【数１】
2021517752.tif 000004
【００７２】
ＲＡＣＨ−ｐｅｒｉｏｄ＝｛１０，２０，４０，８０，１６０｝；
【００７３】
ＲＡＣＨ−ｐｅｒｉｏｄ−ｍａｘ＝ｍａｘ｛ＲＡＣＨ−ｐｅｒｉｏｄ｝＝１６０。
【００７４】
特に、このような方法で、次の表に示されたように、幾つかの相違するＰＲＡＣＨ設定区間に対する相応する関連区間の値及び／又はセットを決定することも可能である。
【００７５】
【表２】
2021517752.tif 000005
【００７６】
直接マッピング関係テーブルに加え、ＰＲＡＣＨ設定区間及び相応する関連区間の値及び／又はセットはさらに他の等価の表現方法、例えば、公式によって示されることができ、例えば：
【００７７】
それぞれのＲＡＣＨ区間に相応する関連区間の値及び／又はセットは次のように表現される：
【００７８】
【数２】
2021517752.tif 000006
【００７９】
ＲＡＣＨ−ｐｅｒｉｏｄ＝｛１０，２０，４０｝の場合、ＲＡＣＨ−ｐｅｒｉｏｄ−ｒｅｆ＝４０；
【００８０】
ＲＡＣＨ−ｐｅｒｉｏｄ＝｛８０｝の場合、ＲＡＣＨ−ｐｅｒｉｏｄ−ｒｅｆ＝８０；
【００８１】
ＲＡＣＨ−ｐｅｒｉｏｄ＝｛１６０｝の場合、ＲＡＣＨ−ｐｅｒｉｏｄ−ｒｅｆ＝１６０；
【００８２】
ＲＡＣＨ−ｐｅｒｉｏｄ−ｍａｘ＝ｍａｘ｛ＲＡＣＨ−ｐｅｒｉｏｄ｝＝１６０。
【００８３】
それぞれのＰＲＡＣＨ設定区間は固定された関連区間セットに相応する。例えば、ＰＲＡＣＨ設定区間｛１０，２０，４０，８０，１６０｝ｍｓの場合、相応する関連区間セットは｛１，２，３｝ＰＲＡＣＨ設定区間である。
【００８４】
この場合に、ＵＥは、Ｎ＿ｖａｌｉｄＲＯｐｅｒＲＡＣＨｐｅｒｏｉｄ及びｎｕｍＯｆＳＳＢｐｅｒＲＯによって、一つの与えられたＲＡＣＨ区間内で連関されることができるＳＳＢの数を決定することができ、その後、Ｎ＿ＳＳＢｐｅｒＰｅｒｉｏｄによって一つのＳＳＢ周期内のすべてのＳＳＢを相応するＲＯでマッピングするためにＮ＿ｍａｐｐｉｎｇ完了ＲＡＣＨ区間が必要であるということを推論することができる。
【００８５】
ＵＥが関連区間セットを決定すると、ＵＥは実際関連区間が決定された有効な関連区間セット内のＮ＿ｍａｐｐｉｎｇより大きい又は同じ最小関連区間の値であると決定する。例えば、１０ｍｓのＰＲＡＣＨ設定区間に対して、ＵＥによって決定される関連区間セットは｛１，３｝ＰＲＡＣＨ設定区間であり；ＰＲＡＣＨ設定情報及び／又は同期信号設定情報によってＵＥによって計算されたＮ＿ｍａｐｐｉｎｇが３と同一であれば、関連区間セットから３より大きい又は同じ最小値が選択され、すなわち、最終的に決定された関連区間は３のＰＲＡＣＨ設定区間である。ＵＥは次の動作を行う：
【００８６】
最終的に決定された関連区間内で、計算された関連区間内の一つ以上のＳＳＢ周期内のすべてのＳＳＢが完全に連関されることができる  ＲＯを除いた残りＲＯは有効ではないＲＯとして見なされて；図４に示されたように、一つのＳＳＢ周期内に４個のＳＳＢが存在し、一つのＲＡＣＨ区間内に４個のＲＯが存在し、一つのＲＯは一つのＳＳＢに連関され、計算された関連区間はＮ＿ｍａｐｐｉｎｇ＝２ＲＡＣＨ区間であり、決定された関連区間セットの値は３であり、すなわち、最終的に決定された関連区間は３ＲＡＣＨ区間であり；この場合に、３ＲＡＣＨ区間内の残りＲＯ(ＳＳＢが２ＲＡＣＨ区間内に完全に連関されているＲＯを除き)は有効ではないＲＯであるか；
【００８７】
最終的に決定された関連区間内で、一つ以上のＳＳＢ周期内のすべてのＳＳＢが完全に連関されることができるＲＯを除いた残りＲＯは有効ではないＲＯとして見なされて；図４に示されたように、上述した例で説明されたように、この方法で、ＵＥは関連区間内の第３ＰＲＡＣＨ設定区間に続く２個のＲＯを有効ではないＲＯとして見なすだろう。
【００８８】
ＵＥが固定された関連区間の値を決定すると、ＵＥは決定された固定された関連区間の値を実際関連区間として用い、ＵＥは次のような動作を行う：
【００８９】
最終的に決定された関連区間内で、計算された関連区間内の一つ以上のＳＳＢ周期内のすべてのＳＳＢが完全に連関されることができるＲＯを除いた残りＲＯは有効ではないＲＯとして見なされるか；
【００９０】
最終的に関連区間内で、一つ以上のＳＳＢ周期内のすべてのＳＳＢが完全に連関されることができるＲＯを除いた残りＲＯは有効ではないＲＯとして見なされる。
【００９１】
実施例２(ＳＳＢ周期)  
【００９２】
本実施例で、本開示は有効な関連区間及び／又は設定されたＳＳＢ周期によった関連区間セットの決定を例えて説明されるだろう。設定されたＳＳＢ周期は基地局装置によって設定されてＵＥに送信されることができて／できるか、ＵＥによって自律的に決定されるＳＳＢ周期(例えば、ＵＥによって仮定された固定されたＳＳＢ周期)であれば良い。
【００９３】
ＵＥはネットワーク側(例えば、ブロードキャストチャンネル、ダウンリンク制御チャンネル又は上位階層シグナリング)からＰＲＡＣＨ設定情報及び／又は同期信号設定情報を受信する。
【００９４】
同期信号設定情報はＳＳＢ周期、及び一つのＳＳＢ周期内のＳＳＢの数及び／又は位置を少なくとも含む。例えば、一つのスロット内で第のＭ  ＯＦＤＭシンボルからのＮ個の連続的なＯＦＤＭシンボルは一つのＳＳＢとして見なされる。すなわち、ＵＥは一つのＳＳＢ周期及び相応する位置内ですべてのＳＳＢの数(Ｎ＿ＳＳＢｐｅｒＰｅｒｉｏｄ)を決定することができる。
【００９５】
ＰＲＡＣＨ設定情報はＰＲＡＣＨ設定区間又はＲＡＣＨ区間、ＰＲＡＣＨ設定インデックス、ＰＲＡＣＨ周波数ドメイン設定(ＰＲＡＣＨ＿ＦＤＭ)、それぞれのＰＲＡＣＨオケーション(ＲＯ)と連関されたＳＳＢンの数(ｎｕｍＯｆＳＳＢｐｅｒＲＯ)などを少なくとも含み、ＰＲＡＣＨ設定インデックスは一つのＰＲＡＣＨ設定区間内で時間ドメイン内のＲＯの数及び／又は位置をユーザに通知するために用いられる設定セットを示し、ＰＲＡＣＨ＿ＦＤＭは一つのＰＲＡＣＨ設定区間内で時間領域内にあるＲＯの数及び／又は位置を示す。すなわち、ＵＥは一つのＰＲＡＣＨ設定区間内ですべてのＲＯの数のＮ＿ＲＯｐｅｒＲＡＣＨｐｅｒｏｉｄ及び／又は位置を決定することができる。さらに、ＵＥは特定規則によって実際有効なＲＯの数Ｎ＿ｖａｌｉｄＲＯｐｅｒＲＡＣＨｐｅｒｏｉｄ及び位置を獲得する必要があり得る。このような規則は次の方式のうちの少なくとも一つを含むことができる：
【００９６】
ネットワーク設定のアップリンク／ダウンリンク設定でダウンリンク部分と衝突するＲＯは有効ではないＲＯとして見なされて；
【００９７】
ネットワーク設定のアップリンク／ダウンリンク設定で柔軟な部分にＳＳＢを含む部分と衝突するＲＯは有効ではないＲＯとして見なされて；
【００９８】
ネットワーク設定のアップリンク／ダウンリンク設定で柔軟な部分の任意のＳＳＢ又は最後のＳＳＢ前の部分と衝突するＲＯは有効ではないＲＯとして見なされる。
【００９９】
特に、ＵＥが規則に従って有効ではない任意のＲＯを見つけられない場合、Ｎ＿ｖａｌｉｄＲＯｐｅｒＲＡＣＨｐｅｒｏｉｄ＝Ｎ＿ＲＯｐｅｒＲＡＣＨｐｅｒｏｉｄである。
【０１００】
この場合に、ＵＥは特定規則に従って有効なＳＳＢ対ＲＯ関連区間(以下、関連区間ともする)を決定する必要がある。この実施例で、方法は有効な関連区間及び／又は設定されたＳＳＢ周期によった関連区間セットを決定することである。具体的には：
【０１０１】
相応する関連区間の値及び／又はセットは次の表に示されたように負ではない２の累乗に表現される特定規則に従って相違するＳＳＢ周期の間の決定される：
【表３】
2021517752.tif 000007
【０１０２】
直接マッピング関係テーブルに加え、ＳＳＢ周期及び相応する関連区間の値及び／又はセットはさらに他の等価の表現方法、例えば、公式によって示されることができ、例えば：
【０１０３】
それぞれのＳＳＢ周期に相応する関連区間の値及び／又はセットは次のように表現される：
【０１０４】
【数３】
2021517752.tif 000008
【０１０５】
ＳＳＢ−ｐｅｒｉｏｄ＝｛５，１０，２０，４０，８０，１６０｝；
【０１０６】
ＳＳＢ−ｐｅｒｉｏｄ−ｍａｘ＝ｍａｘ｛ＳＳＢ−ｐｅｒｉｏｄ｝＝１６０。
【０１０７】
特に、このような方法で、次の表に示されたように、幾つかの相違するＳＳＢ周期に対する応する関連区間の値及び／又はセットを決定することも可能である。
【０１０８】
【表４】
2021517752.tif 000009
【０１０９】
直接マッピング関係テーブルに加え、ＳＳＢ周期及び相応する関連区間の値及び／又はセットはさらに他の等価の表現方法、例えば、公式によって示されることができ、例えば：
【０１１０】
それぞれのＳＳＢ周期に相応する関連区間の値及び／又はセットは次のように表現される：
【０１１１】
【数４】
2021517752.tif 000010
【０１１２】
ＳＳＢ−ｐｅｒｉｏｄ＝｛５，１０，２０，４０｝の場合、ＳＳＢ−ｐｅｒｉｏｄ−ｒｅｆ＝４０；
【０１１３】
ＳＳＢ−ｐｅｒｉｏｄ＝｛８０｝の場合、ＳＳＢ−ｐｅｒｉｏｄ−ｒｅｆ＝８０；
【０１１４】
ＳＳＢ−ｐｅｒｉｏｄ＝｛１６０｝の場合、ＳＳＢ−ｐｅｒｉｏｄ−ｒｅｆ＝１６０；
【０１１５】
ＳＳＢ−ｐｅｒｉｏｄ−ｍａｘ＝ｍａｘ｛ＳＳＢ−ｐｅｒｉｏｄ｝＝１６０。
【０１１６】
それぞれのＳＳＢ周期は固定された関連区間セットに相応する。例えば、ＳＳＢ周期｛５，１０，２０，４０，８０，１６０｝ｍｓの場合、相応する関連区間セットは｛１，２，３｝ＳＳＢ周期である。特に、ＳＳＢ周期｛５，１０，２０，４０，８０，１６０｝ｍｓの場合、相応する関連区間は１ＳＳＢ周期であり、すなわち、関連区間はＳＳＢ周期と同一である。
【０１１７】
この場合に、ＵＥは、Ｎ＿ｖａｌｉｄＲＯｐｅｒＲＡＣＨｐｅｒｏｉｄ及びｎｕｍＯｆＳＳＢｐｅｒＲＯによって、一つの与えられたＲＡＣＨ区間内で連関されることができるＳＳＢの数を決定することができ、その後、Ｎ＿ＳＳＢｐｅｒＰｅｒｉｏｄによって一つのＳＳＢ周期内のすべてのＳＳＢを相応するＲＯでマッピングするためにＮ＿ｍａｐｐｉｎｇ完了ＳＳＢ周期が必要であるということを推論することができる。
【０１１８】
ＵＥが関連区間セットを決定すると、ＵＥは実際関連区間が決定された有効な関連区間セット内のＮ＿ｍａｐｐｉｎｇより大きい又は同じ最小関連区間の値だと決定する。例えば、１０ｍｓのＳＳＢ周期に対し、ＵＥによって決定される関連区間セットは｛１，３｝ＳＳＢ周期であり；ＰＲＡＣＨ設定情報及び／又は同期信号設定情報によってＵＥによって計算されたＮ＿ｍａｐｐｉｎｇが３と同一であれば、関連区間セットから３より大きい又は同じ最小値が選択され、すなわち、最終的に決定された関連区間は３のＳＳＢ周期である。ＵＥは次の動作を行う：
【０１１９】
最終的に決定された関連区間の持続区間内で、計算された関連区間の持続区間内の一つ以上のＳＳＢ周期内のすべてのＳＳＢが完全に連関されることができるＲＯを除いた残りＲＯは有効ではないＲＯとして見なされるか；
【０１２０】
最終的に決定された関連区間の持続区間内で、一つ以上のＳＳＢ周期内のすべてのＳＳＢが完全に連関されることができるＲＯを除いた残りＲＯは有効ではないＲＯとして見なされる。
【０１２１】
ＵＥが固定された関連区間の値を決定すると、ＵＥは決定された固定された関連区間の値を実際関連区間として用い、ＵＥは次のような動作を行う：
【０１２２】
最終的に決定された関連区間の持続区間内で、計算された関連区間の持続区間内の一つ以上のＳＳＢ周期内のすべてのＳＳＢが完全に連関されることができるＲＯを除いた残りＲＯは有効ではないＲＯとして見なされるか；
【０１２３】
最終的に決定された関連区間の持続区間内で、一つ以上のＳＳＢ周期内のすべてのＳＳＢが完全に連関されることができるＲＯを除いた残りＲＯは有効ではないＲＯとして見なされる。
【０１２４】
実施例３(ＳＳＢ周期及びＲＯ区間のうちの最大／最小の区間)
【０１２５】
本実施例で、本開示は有効な関連区間及び／又は設定されたＰＲＡＣＨ設定区間及び設定されたＳＳＢ周期のうちの最大の区間による関連区間セットの決定を例として取って説明されるだろう。設定されたＳＳＢ周期は基地局装置によって設定されてＵＥに送信されることができて／できるか、ＵＥによって自律的に決定されるＳＳＢ周期(例えば、ＵＥによって仮定された固定されたＳＳＢ周期)であれば良い。説明を容易にするのために、本実施例で、特別区間設定は特別区間で表現される。例えば、特別区間は次のようなオケーションを含むことができる。
【０１２６】
特別区間は設定されたＰＲＡＣＨ設定区間及び設定されたＳＳＢ周期のうちの最大区間、すなわち、特別区間＝ｍａｘ｛ＳＳＢ周期、ＲＡＣＨ区間｝；
【０１２７】
特別区間は設定されたＰＲＡＣＨ設定区間及び設定されたＳＳＢ周期のうちの最小区間、すなわち、特別区間＝ｍｉｎ｛ＳＳＢ周期、ＲＡＣＨ区間｝；及び
【０１２８】
ＰＲＡＣＨ設定区間が設定されたＳＳＢ周期と同一な場合、特別区間はＲＡＣＨ区間及びＳＳＢ周期のうちのいずれか一つであれば良い。
【０１２９】
ＵＥはネットワーク側(例えば、ブロードキャストチャンネル、ダウンリンク制御チャンネル又は上位階層シグナリング)からＰＲＡＣＨ設定情報及び／又は同期信号設定情報を受信する。
【０１３０】
同期信号設定情報はＳＳＢ周期、及び一つのＳＳＢ周期内のＳＳＢの数及び／又は位置を少なくとも含む。例えば、一つのスロット内で第Ｍ  ＯＦＤＭシンボルからのＮ個の連続的なＯＦＤＭシンボルは一つのＳＳＢとして見なされる。すなわち、ＵＥは一つのＳＳＢ周期及び相応する位置内ですべてのＳＳＢの数(Ｎ＿ＳＳＢｐｅｒＰｅｒｉｏｄ)を決定することができる。
【０１３１】
ＰＲＡＣＨ設定情報はＰＲＡＣＨ設定区間又はＲＡＣＨ区間、ＰＲＡＣＨ設定インデックス、ＰＲＡＣＨ周波数ドメイン設定(ＰＲＡＣＨ＿ＦＤＭ)、それぞれのＰＲＡＣＨオケーション(ＲＯ)と連関されたＳＳＢの数(ｎｕｍＯｆＳＳＢｐｅｒＲＯ)などを少なくとも含み、ＰＲＡＣＨ設定インデックスは、周波数ドメインで、一つのＰＲＡＣＨ設定区間内で時間ドメイン内のＲＯの数及び／又は位置をユーザに通知するために用いられる設定セットを示し、ＰＲＡＣＨ＿ＦＤＭは一つのＰＲＡＣＨ設定区間内で時間領域内にあるＲＯの数及び／又は位置を示す。すなわち、ＵＥは一つのＰＲＡＣＨ設定区間内ですべてのＲＯの数Ｎ＿ＲＯｐｅｒＲＡＣＨｐｅｒｏｉｄ及び／又は位置を決定することができる。さらに、ＵＥは特定規則に従って実際有効なＲＯの数Ｎ＿ｖａｌｉｄＲＯｐｅｒＲＡＣＨｐｅｒｏｉｄ及び位置を獲得する必要があり得る。このような規則は次の方式のうちの少なくとも一つを含むことができる：
【０１３２】
ネットワーク設定のアップリンク／ダウンリンク設定でダウンリンク部分と衝突するＲＯは有効ではないＲＯとして見なされて；
【０１３３】
ネットワーク設定のアップリンク／ダウンリンク設定で柔軟な部分にＳＳＢを含む部分と衝突するＲＯは有効ではないＲＯとして見なされて；
【０１３４】
ネットワーク設定のアップリンク／ダウンリンク設定で柔軟な部分の任意のＳＳＢ又は最後のＳＳＢ前の部分と衝突するＲＯは有効ではないＲＯとして見なされる。
【０１３５】
特に、ＵＥが規則に従って有効ではない任意のＲＯを見つけられない場合、Ｎ＿ｖａｌｉｄＲＯｐｅｒＲＡＣＨｐｅｒｏｉｄ＝Ｎ＿ＲＯｐｅｒＲＡＣＨｐｅｒｏｉｄである。
【０１３６】
この場合に、ＵＥは特定規則に従って有効なＳＳＢ対ＲＯ関連区間(以下、関連区間ともする)を決定する必要がある。この実施例で、方法は有効な関連区間及び／又は設定された特別区間による関連区間セットを決定することである。具体的には：
【０１３７】
相応する関連区間の値及び／又はセットは次の表に示されたように負ではない２の累乗で表現される特定規則に従って相違する特別区間の間の決定される：
【０１３８】
【表５】
2021517752.tif 000011
【０１３９】
直接マッピング関係テーブルに加え、特別区間及び相応する関連区間の値及び／又はセットはさらに他の等価の表現方法、例えば公式によって現わされることができ、例えば：
【０１４０】
それぞれの特別区間に相応する関連区間の値及び／又はセットは次のように表現される：
【０１４１】
【数５】
2021517752.tif 000012
【０１４２】
Ｓｐｅｃｉａｌ−ｐｅｒｉｏｄ＝｛５，１０，２０，４０，８０，１６０｝；
【０１４３】
Ｓｐｅｃｉａｌ−ｐｅｒｉｏｄ−ｍａｘ＝ｍａｘ｛ＳＳＢ−ｐｅｒｉｏｄ｝＝１６０。
【０１４４】
特に、このような方法で、次の表に示されたように、幾つかの相違する特別区間に対する相応する関連区間の値及び／又はセットを決定することも可能である。
【０１４５】
【表６】
2021517752.tif 000013
【０１４６】
直接マッピング関係テーブルに加え、特別区間及び相応する関連区間の値及び／又はセットはさらに他の等価の表現方法、例えば、公式によって示されることができ、例えば：
【０１４７】
それぞれの特別区間に相応する関連区間の値及び／又はセットは次のように表現される：
【０１４８】
【数６】
2021517752.tif 000014
【０１４９】
Ｓｐｅｃｉａｌ−ｐｅｒｉｏｄ＝｛５，１０，２０，４０｝の場合、Ｓｐｅｃｉａｌ−ｐｅｒｉｏｄ−ｒｅｆ＝４０；
【０１５０】
Ｓｐｅｃｉａｌ−ｐｅｒｉｏｄ＝｛８０｝の場合、Ｓｐｅｃｉａｌ−ｐｅｒｉｏｄ−ｒｅｆ＝８０；
【０１５１】
Ｓｐｅｃｉａｌ−ｐｅｒｉｏｄ＝｛１６０｝の場合、Ｓｐｅｃｉａｌ−ｐｅｒｉｏｄ−ｒｅ＝１６０；
【０１５２】
Ｓｐｅｃｉａｌ−ｐｅｒｉｏｄ−ｍａｘ＝ｍａｘ｛Ｓｐｅｃｉａｌ−ｐｅｒｉｏｄ｝＝１６０。
【０１５３】
それぞれの特別区間は固定された関連区間セットに相応する。例えば、特別区間｛５，１０，２０，４０，８０，１６０｝ｍｓの場合、相応する関連区間セットは｛１，２，３｝特別区間である。
【０１５４】
この場合に、ＵＥは、Ｎ＿ｖａｌｉｄＲＯｐｅｒＲＡＣＨｐｅｒｏｉｄ及びｎｕｍＯｆＳＳＢｐｅｒＲＯによって、一つの与えられたＲＡＣＨ区間内で連関されることができるＳＳＢの数を決定することができ、その後、Ｎ＿ＳＳＢｐｅｒＰｅｒｉｏｄによって一つの特別区間内のすべてのＳＳＢを相応するＲＯでマッピングするためにＮ＿ｍａｐｐｉｎｇ完了特別区間が必要であるということを推論することができる。
【０１５５】
ＵＥが関連区間セットを決定すると、ＵＥは実際関連区間が決定された有効な関連区間セット内のＮ＿ｍａｐｐｉｎｇより大きい又は同じ最小関連区間の値と決定する。例えば、１０ｍｓの特別区間に対して、ＵＥによって決定される関連区間セットは｛１，３｝特別区間であり；ＰＲＡＣＨ設定情報及び／又は同期信号設定情報によってＵＥによって計算されたＮ＿ｍａｐｐｉｎｇが３と同一であれば、関連区間セットから３より大きい又は同じ最小値が選択され、すなわち、最終的に決定された関連区間は３の特別区間である。ＵＥは次の動作を行う：
【０１５６】
最終的に決定された関連区間の持続区間内で、計算された関連区間の持続区間内の一つ以上の特別区間内のすべてのＳＳＢが完全に連関されることができるＲＯを除いた残りＲＯは有効ではないＲＯとして見なされるか；
【０１５７】
最終的に決定された関連区間の持続区間内で、一つ以上の特別区間内のすべてのＳＳＢが完全に連関されることができるＲＯを除いた残りＲＯは有効ではないＲＯとして見なされる。
【０１５８】
ＵＥが固定された関連区間の値を決定すると、ＵＥは決定された固定された関連区間の値を実際関連区間として用い、ＵＥは次のような動作を行う：
【０１５９】
最終的に決定された関連区間の持続区間内で、計算された関連区間の持続区間内の一つ以上の特別区間内のすべてのＳＳＢが完全に連関されることができるＲＯを除いた残りＲＯは有効ではないＲＯとして見なされるか；
【０１６０】
最終的に決定された関連区間の持続区間内で、一つ以上の特別区間内のすべてのＳＳＢが完全に連関されることができるＲＯを除いた残りＲＯは有効ではないＲＯとして見なされる。
【０１６１】
実施例４(アクセスされた周波数帯域による)
【０１６２】
本実施例で、設定されたＰＲＡＣＨ設定区間又は設定されたＳＳＢ周期のうちのいずれか一つを用いて有効な関連区間及び／又は関連区間セットの決定が異なる周波数帯域によって一例として成り立つようにして本開示が説明されるだろう。
【０１６３】
具体的には、ＵＥが周波数帯域１(例えば、６ＧＨｚ未満の周波数帯域であるＦＲ１)でシステムを実行させるためにアクセスされる時、ＵＥは有効な関連区間及び／又は設定されたＳＳＢ周期によった関連区間セットを決定して；ＵＥが周波数帯域２(例えば、６ＧＨｚより高い周波数帯域であるＦＲ２)でシステムを実行させるためにアクセスされる時、ＵＥは有効な関連区間及び／又は設定されたＰＲＡＣＨ設定区間による関連区間セットを決定するか；ＵＥが周波数帯域１(例えば、６ＧＨｚ未満の周波数帯域であるＦＲ１)でシステムを実行させるためにアクセスされる時、ＵＥは有効な関連区間及び／又は設定されたＰＲＡＣＨ設定区間による関連区間セットを決定して；ＵＥが周波数帯域２(例えば、６ＧＨｚより高い周波数帯域であるＦＲ２)でシステムを実行させるためにアクセスされる時、ＵＥは有効な関連区間及び／又は設定されたＳＳＢ周期によった関連区間セットを決定する。
【０１６４】
有効な関連区間及び／又は設定されたＰＲＡＣＨ設定区間又は設定されたＳＳＢ周期によった関連区間セットを決定するための特定方法は上述した実施例を示し、本明細書で繰り返されないだろう。
【０１６５】
図５は、本開示の一実施例によってＳＳＢに対する関連区間を決定する方法を具現するためのユーザ装置のモジュールブロック図である。
【０１６６】
図５を参照すれば、本開示でＳＳＢに対する関連区間を決定するユーザ装置は基地局によって送信された第１設定情報を受信するように構成された設定情報受信モジュール、第１設定情報によってＳＳＢに対する有効な関連区間を決定するように構成された関連区間セット決定モジュール、及びＳＳＢに対する有効な関連区間セットからＳＳＢに対する関連区間を決定するように構成された関連区間決定モジュールを含む。
【０１６７】
設定情報受信モジュール５０１、関連区間セット決定モジュール５０３及び関連区間決定モジュール５０５の動作プロセスはそれぞれ本開示のランダムアクセス方法の動作(１０１、１０２及び１０３)に相応し、したがって、本明細書では繰り返されないだろう。
【０１６８】
図６は、本開示の一実施例による端末の構造を示されたダイヤグラムである。
【０１６９】
図６を参照すれば、端末は送受信部６１０、プロセッサ６２０及びメモリー６３０を含むことができる。本開示でプロセッサ６２０は回路又は注文型集積回路又は制御機として定義されることができる。
【０１７０】
送受信部６１０は信号を他のネットワークエンティティーへ送信し、これから信号を受信することができる。送受信部６１０は例えば、基地局からダウンリンク信号(例えば、システム情報)を受信することができ、アップリンク信号(例えば、ランダムアクセスプリアンブル)を基地局へ送信することができる。
【０１７１】
プロセッサ６２０は本開示で提案された実施例による端末の全体動作を制御することができる。例えば、プロセッサ６２０は上述したような図面及びフローチャートによって動作を行うためにそれぞれのブロック間の信号流れを制御することができる。プロセッサ６２０は基地局からの制御信号によって動作することができ、メッセージ又は信号を端末及び／又は基地局へ送信し、これからメッセージ又は信号を受信する送受信機を制御することができる。
【０１７２】
メモリー６３０は送受信部６１０を介して送受信される情報及びプロセッサ６２０を介して生成される情報のうちの少なくとも一つを記憶することができる。
【０１７３】
図７は、本開示の一実施例による基地局の構造を示されたダイヤグラムである。
【０１７４】
図７を参照すれば、基地局は送受信部７１０、プロセッサ７２０及びメモリー７３０を含むことができる。本開示でプロセッサ７２０は回路又は注文型集積回路又は制御機として定義されることができる。
【０１７５】
送受信部７１０は信号を他のネットワークエンティティーへ送信し、これから信号を受信することができる。送受信部７１０は例えば、ダウンリンク信号(例えば、システム情報)を端末へ送信することができ、端末からアップリンク信号(例えば、ランダムアクセスプリアンブル)を受信することができる。
【０１７６】
プロセッサ７２０は本開示で提案された実施例による基地局の全体動作を制御することができる。例えば、プロセッサ７２０は上述したような図面及びフローチャートによって動作を行うためにそれぞれのブロック間の信号流れを制御することができる。プロセッサ７２０は端末からのアップリンク信号によって動作することができ、メッセージ又は信号を端末及び／又は基地局へ送信し、これからメッセージ又は信号を受信する送受信機を制御することができる。
【０１７７】
メモリー３０は送受信部７１０を介して送受信される情報及びプロセッサ７２０を介して生成される情報のうちの少なくとも一つを記憶することができる。
【０１７８】
本開示の詳細な説明から、従来技術に対して本開示は少なくとも次の有利な技術的効果を有することを分かる。
【０１７９】
第１に、一つのＳＳＢ周期内のすべてのＳＳＢをＲＯにマッピングするのに必要なＰＲＡＣＨ設定区間の数と実際に用いられるＰＲＡＣＨ設定区間の数を区別することによって、実際に用いられたＰＲＡＣＨ設定区間の数(すなわち、ＳＳＢに対する関連区間)は柔軟に調整されることができ、基地局とユーザ装置の間のランダムアクセスの効率は改善される。
【０１８０】
第２に、ＳＳＢの連関の間、有効ではないＰＲＡＣＨ送信オケーションは除去されることによって、アップリンク信号と及びダウンリンク信号の間の衝突は回避され、ランダムアクセスの成功率は増加される。
【０１８１】
第３に、ＰＲＡＣＨ設定区間、ＳＳＢ周期又は動作周波数によって有効な関連区間セット(すなわち、ＰＲＡＣＨ設定区間の数のセット)を決定した後、特定規則に従って関連区間セットからＳＳＢに対する関連区間の値を選択することによって、通信システム設定の柔軟性及び拡張性が向上される。
【０１８２】
通常の技術者は、本開示に説明されたような一つ以上の動作を行うデバイスを含むということを理解しなければならない。このようなデバイスは意図されたとおり特別に設計されて製造されることができるか、汎用コンピューターに知られたデバイスを含ませることができる。このようなデバイスは選択的に活性化されたり再構成されるコンピュータープログラムを記憶する。このようなコンピュータープログラムは(コンピューターのような)デバイス読み取り可能媒体又は電子命令語を記憶することに適合した任意のタイプの媒体に記憶されてそれぞれのバスに結合されることができ、コンピューター読み取り可能媒体は任意のタイプのディスク(フロッピー、ハードディスク、光ディスク、ＣＤ−ＲＯＭ(ｃｏｍｐａｃｔ  ｄｉｓｃ−ｒｅａｄ−ｏｎｌｙ  ｍｅｍｏｒｙ)及び光磁気のディスクを含み)、ＲＯＭ、ＲＡＭ(ｒａｎｄｏｍａｃｃｅｓｓ  ｍｅｍｏｒｙ)、ＥＰＲＯＭ(ｅｒａｓａｂｌｅ  ｐｒｏｇｒａｍｍａｂｌｅ  ＲＯＭ)、電気的ＥＰＲＯＭ(ＥＥＰＲＯＭ)、フラッシュメモリー、磁気カード又は光ラインカードを含むが、ここに限定されない。言い換えれば、読み取り可能媒体はデバイス(例えば、コンピューター)読み取り可能な形態で情報を記憶するか送信する任意の媒体を含む。
【０１８３】
通常の技術者は、構造も及び／又はブロック図及び／又はフローチャートにおけるそれぞれのブロックだけではなく構造も及び／又はブロック図及び／又はフローチャートにおけるブロックの組み合せを実現するためにコンピュータープログラム命令語が用いられることができるということを理解しなければならない。通常の技術者はこのようなコンピュータープログラム命令語が具現される汎用コンピューター、特殊目的コンピューター又はプログラム可能なデータ処理手段の他のプロセッサに提供されることができることによって、本開示によって開示された構造も及び／又はブロック図及び／又はフローチャートのブロックに明示されたソリューションがコンピューター又はプログラム可能なデータ処理手段の他のプロセッサによって実行されるようにする。
【０１８４】
通常の技術者は、本開示で既に論議された動作、方法及び流れにおける動作、測定及びソリューションが代替、変更、組み合せ又は削除されることができることを理解するべきである。さらに、本開示で既に論議された動作、方法及び流れにおける他の動作、測定及びソリューションはさらに代替、変更、再配置、分解、組み合せ又は削除されることができる。さらに、本開示で開示された動作、方法及び動作で従来技術の動作、測定及びソリューションはさらに代替、変更、再配置、分解、組み合せ又は削除されることができる。
【０１８５】
本開示は、多様な実施例を参照して図示されて説明されたが、通常の技術者は添付された請求範囲及びこの等価物により定義されたように本開示の思想及び範囲を逸脱せず形態及び詳細事項で多様な変化が成り立つことができることを理解するだろう。
【符号の説明】
【０１８６】
５０１  設定情報受信モジュール
５０３  関連区間セット決定モジュール
５０５  関連区間決定モジュール
６１０  送受信部
６２０  プロセッサ
６３０  メモリー
７１０  送受信部
７２０  プロセッサ
７３０  メモリー
【図１】
2021517752.tif 000015
【図２】
2021517752.tif 000016
【図３】
2021517752.tif 000017
【図４】
2021517752.tif 000018
【図５】
2021517752.tif 000019
【図６】
2021517752.tif 000020
【図７】
2021517752.tif 000021
【国際調査報告】
2021517752.tif 000022
2021517752.tif 000023
2021517752.tif 000024